(57)【要約】【課題】複数台の録画装置にそれぞれ既に録画予約された録画予約情報を利用して最適の録画予約を自動的に行える録画制御装置及び録画システムを提供する。【解決手段】テレビジョン放送受信装置２０は、Ｉ／Ｆ４Ａ，４Ｂ，４Ｃをそれぞれ介してビデオレコーダ３Ａ、ＤＶＤレコーダ３Ｂ、ＤＶＤレコーダ３Ｃに録画予約情報及び録画装置情報を要求し、ビデオレコーダ３Ａ、ＤＶＤレコーダ３Ｂ、ＤＶＤレコーダ３Ｃより録画予約情報及び録画装置情報を受信し、これらの情報をテーブルを作成して記憶する。テレビジョン放送受信装置２０は、記憶した録画予約情報及び空き容量の情報に基づいて録画予約テーブルを作成して各録画装置に対する録画設定情報を管理する。【選択図】図３
2009017048.tif 000002
【特許請求の範囲】
【請求項１】
複数の録画装置に対して当該録画装置の録画予約情報、記録媒体の空き情報、及び当該録画装置に録画予約を希望する番組の設定情報を送受信する通信手段と、
録画予約を行う際に、上記複数の録画装置からの録画予約情報及び記録媒体の空き情報に基づいて１台の録画装置を選択し、選択された録画装置に対して上記通信手段を介して上記録画予約を希望する番組の設定情報を送信するように制御する制御手段と
を有することを特徴とする録画制御装置。
【請求項２】
上記制御手段は、上記複数の録画装置の録画予約情報、上記複数の録画装置において登録されている登録嗜好情報、ユーザが入力した入力嗜好情報の少なくとも１つを用いてユーザの嗜好情報を決定し、当該決定された嗜好情報に基づいてお勧め番組をリストアップし、当該リストアップされたお勧め番組を、上記複数の録画装置からの録画予約情報及び記録媒体の空き情報に基づいて選択された１台の録画装置に録画予約することを特徴とする請求項１記載の録画制御装置。
【請求項３】
上記制御手段は、ユーザが上記嗜好情報を変更した場合に、上記お勧め番組を選択し直し、上記複数の録画装置に対して録画予約の変更を行うことを特徴とする請求項２記載の録画制御装置。
【請求項４】
上記制御手段は、上記複数の録画装置において同一の番組が重複して録画予約されている場合に、当該重複して録画予約されている番組を１つに統合することを特徴とする請求項１記載の録画制御装置。
【請求項５】
上記複数の録画装置からの各録画予約情報を表示する表示手段をさらに有することを特徴とする請求項１記載の録画制御装置。
【請求項６】
上記通信手段は、上記録画装置からの録画機能情報を受信し、
上記制御手段は、上記複数の録画装置からの録画予約情報、記録媒体の空き情報、及び上記録画機能情報に基づいて１台の録画装置を選択することを特徴とする請求項１記載の録画制御装置。
【請求項７】
複数の録画装置と、
上記複数の録画装置に対して当該録画装置の録画予約情報、記録媒体の空き情報、及び当該録画装置に録画予約を希望する番組の設定情報を送受信する通信手段と、録画予約を行う際に、上記複数の録画装置からの録画予約情報及び記録媒体の空き情報に基づいて１台の録画装置を選択し、選択された録画装置に対して上記通信手段を介して上記録画予約を希望する番組の設定情報を送信するように制御する制御手段とを有する録画制御装置と
を備えることを特徴とする録画システム。
【発明の詳細な説明】
【技術分野】
【０００１】
本発明は、複数台の録画装置に録画予約を行う録画制御装置及び録画システムに関する。
【背景技術】
【０００２】
近年、ハードディスク等を用いた録画装置が普及してきており、放送時間が互いに重複している番組の録画予約を設定できるものも知られている。また、複数台の録画装置に対して、統合されたインターフェースを用いて録画予約を管理する技術が例えば特許文献１、２に開示されている。
【０００３】
特許文献１には、複数の録画装置の録画予約を設定する制御装置において、予約された番組情報を放送時間順に並べて表示する技術が開示されている。
【０００４】
また、特許文献２には、番組コンテンツの録画予約機能を備えた複数の機器をネットワーク上で連携させ、ネットワーク上の非稼動資源を利用して同一時間帯に提供される複数の同時映像を記録するコンテンツ記録システムが開示されている。
【０００５】
【特許文献１】特開２００５−２１７９１５号公報
【特許文献２】特開２００５−２５２４０２号公報
【発明の開示】
【発明が解決しようとする課題】
【０００６】
ところで、特許文献１、２に開示された技術においては、新たな録画予約を行う際に、ユーザが複数台の録画装置にそれぞれ既に録画予約された録画予約情報を確認して何れかの録画装置に録画予約を行うことは可能であるが、自動的に最適の録画予約を行うことはできない。
【０００７】
本発明は、このような従来の実情に鑑みて提案されたものであり、複数台の録画装置にそれぞれ既に録画予約された録画予約情報等を利用して最適の録画予約を自動的に行えるような録画制御装置及び録画システムを提供することを目的とする。
【課題を解決するための手段】
【０００８】
上述の課題を解決するために、本発明に係る録画制御装置は、複数の録画装置に対して当該録画装置の録画予約情報、記録媒体の空き情報、及び当該録画装置に録画予約を希望する番組の設定情報を送受信する通信手段と、録画予約を行う際に、上記複数の録画装置からの録画予約情報及び記録媒体の空き情報に基づいて１台の録画装置を選択し、選択された録画装置に対して上記通信手段を介して上記録画予約を希望する番組の設定情報を送信するように制御する制御手段とを有することを特徴とする。
【０００９】
また、上述の課題を解決するために、本発明に係る録画システムは、複数の録画装置と、上記複数の録画装置に対して当該録画装置の録画予約情報、記録媒体の空き情報、及び当該録画装置に録画予約を希望する番組の設定情報を送受信する通信手段と、録画予約を行う際に、上記複数の録画装置からの録画予約情報及び記録媒体の空き情報に基づいて１台の録画装置を選択し、選択された録画装置に対して上記通信手段を介して上記録画予約を希望する番組の設定情報を送信するように制御する制御手段とを有する録画制御装置とを備えることを特徴とする。
【発明の効果】
【００１０】
本発明によれば、録画制御装置が、複数の録画装置に対して当該録画装置の録画予約情報、記録媒体の空き情報、及び当該録画装置に録画予約を希望する番組の設定情報を送受信する通信手段と、録画予約を行う際に、上記複数の録画装置からの録画予約情報及び記録媒体の空き情報に基づいて１台の録画装置を選択し、選択された録画装置に対して上記通信手段を介して上記録画予約を希望する番組の設定情報を送信するように制御する制御手段とを有することにより、録画予約時刻の重複や録画装置における記録媒体の空き容量等を考慮せずに、効率的に複数の録画装置に対して複数のテレビジョン番組の録画予約を行うことが可能となる。
【発明を実施するための最良の形態】
【００１１】
以下、本発明を適用した具体的な実施の形態について、図面を参照しながら詳細に説明する。
【００１２】
図１は、本発明の実施の形態に用いられる録画システムを概略的に示すブロック図である。図１に示す録画システムは、録画予約制御装置１０と複数台の録画装置３ａ，３ｂ，３ｃ，・・・との間において、有線又は無線の通信路４を介して、少なくとも録画予約情報、記録媒体の空き情報、録画予約を希望する番組の設定情報等が送受信され、録画予約制御装置１０によって、複数台の録画装置３ａ，３ｂ，３ｃ，・・・の録画予約状況に応じて録画の予約を自動的に行うものである。
【００１３】
図１に示す録画予約制御装置１０は、制御部１１と、制御部１１により動作が制御される通信部１２と、制御部１１により録画予約情報等が記憶される記憶部１３とを少なくとも備える。通信部１２は、複数台の録画装置３ａ，３ｂ，３ｃ，・・・に対し、これらの録画装置３ａ，３ｂ，３ｃ，・・・の録画予約情報、記録媒体の空き情報等や、各録画装置３ａ，３ｂ，３ｃ，・・・に録画予約を希望する番組の設定情報等を送受信する。記憶部１３は、例えばハードディスク、磁気テープ、リムーバブルディスク、フラッシュメモリ等の記憶装置を備え、複数台の録画装置３ａ，３ｂ，３ｃ，・・・から通信路４を介して受信した録画予約情報、記録媒体の空き情報、さらに各録画装置の録画機能情報等を、例えば後述するテーブル等の形態で記憶装置に記憶する。制御部１１は、録画予約を行う際に、記憶部１３に記憶された録画装置３ａ，３ｂ，３ｃ，・・・からの録画予約情報や記録媒体の空き情報等に基づいて１台の録画装置を選択し、通信部１２を介して選択された録画装置に対して録画予約を希望する番組の設定情報を送信するように制御する。
【００１４】
図２は、図１に示す録画予約制御装置１０が備える制御部１１の内部構成例及びその周辺部を概略的に示すブロック図である。制御部１１は、ＣＰＵ（Central Processing Unit）１０１と、ＲＯＭ（Read Only Memory）１０２と、ＲＡＭ（Random Access Memory）１０３と、入出力インターフェース（以下、入出力Ｉ／Ｆと記載する。）１０５とがバス１０４に接続されて構成される。入出力Ｉ／Ｆ１０５には、通信部１２と、記憶部１３と、入力部１４と、出力部１５とが接続されており、通信部１２、記憶部１３、入力部１４、出力部１５のそれぞれに対してデータの入出力を行う。
【００１５】
図２において、ＣＰＵ１０１は、ＲＯＭ１０２に記憶されているプログラム、又は記憶部１３からＲＡＭ１０３にロードされたプログラムに従って各種の処理を実行する。ＲＡＭ１０３には、ＣＰＵ１０２が各種の処理を実行する際に必要なデータ等も適宜記憶される。入力部１４は、キーボード、マウス等からなり、ユーザの操作により録画システムで用いられる各種情報が入力される。出力部１５は、ＣＲＴ（Cathode Ray Tube）、ＬＣＤ（Liquid Crystal Display）等のディスプレイ、スピーカ等を有し、各種設定情報や音声・映像等を出力する。
【００１６】
図３は、本実施の形態における録画システムの具体例を示す図である。録画システム１は、アンテナ２１，２２と、アンテナ分配器２３，２４と、上述したような録画予約制御装置１０が搭載されたテレビジョン放送受信装置２０と、ＣＥＣ（Consumer Electronics Control）に対応したＨＤＭＩ（High Definition Multimedia Interface）からなるＩ／Ｆ４Ａ，４Ｂ，４Ｃと、Ｉ／Ｆ４Ａ，４Ｂ，４Ｃを介してテレビジョン放送受信装置２０に対して信号の送受信を行うビデオレコーダ３Ａ、ＤＶＤ（Digital Versatile Disk）レコーダ３Ｂ，３Ｃとを備えて構成される。ここで、テレビジョン放送受信装置２０は、内部構成として、例えば図１、図２で示される録画予約制御装置１０を有し、さらにチューナ、ディスプレイ等を備えて構成されるものである。
【００１７】
録画システム１において、アンテナ２１は、例えば地上アナログテレビジョン放送、地上ディジタルテレビジョン放送等のＶＨＦ（Very High Frequency）帯、ＵＨＦ（Ultra High Frequency）帯等の放送波を受信する。アンテナ分配器２３は、アンテナ２１にて受信された放送波をテレビジョン放送受信装置２０、ビデオレコーダ３Ａ、ＤＶＤレコーダ３Ｂ、及びＤＶＤレコーダ３Ｃに供給する。アンテナ２２は、例えばＢＳ（Broadcast Satellite）放送、ＣＳ（Communication Satellite）放送等の衛星放送波を受信する。アンテナ分配器２４は、アンテナ２２にて受信された放送波をテレビジョン放送受信装置２０、ビデオレコーダ３Ａ、ＤＶＤレコーダ３Ｂ、ＤＶＤレコーダ３Ｃに供給する。
【００１８】
テレビジョン放送受信装置２０は、テレビジョン放送の受信に必要とされる構成として、例えばチューナ、エンコーダ、及びデコーダ等（図示せず）を備える。チューナは、アンテナ２１，２２により受信されたテレビジョン放送の放送波に対応する放送信号を復調し、映像信号成分と音声信号成分をエンコーダに供給する。また、アンテナ２１が受信する地上波のテレビジョン放送信号には、テレビジョン番組の電子番組表（ＥＰＧ：Electric Program Guide）信号が含まれており、このＥＰＧ信号は、バス１０４を介して記憶部１３に記憶される。なお、テレビジョン放送受信装置２０は、ネットワークを介してコンテンツを取得する機能をさらに備える場合、このコンテンツに含まれるＥＰＧ信号を取得するようにしてもよい。
【００１９】
エンコーダは、チューナによって入力された映像信号及び音声信号を、例えばＭＰＥＧ（Moving Picture Experts Group）方式でエンコードし、バス１０４及び入出力Ｉ／Ｆ１０５を介して記憶部１３に供給して記憶させる。記憶部１３に記憶された映像信号及び音声信号は、入出力Ｉ／Ｆ１０５及びバス１０４を介してデコーダに供給され、ＭＰＥＧ方式でデコードされる。デコーダにてデコードされた映像信号及び音声信号は、バス１０４及び入出力Ｉ／Ｆ１０５を介して出力部１５に供給される。なお、エンコーダ及びデコーダは、受信された映像信号及び音声信号を記憶部１３に記憶させない場合には、チューナにて放送信号が復調されて得られた映像信号及び音声信号をそのまま出力部１５に供給する。
【００２０】
テレビジョン放送受信装置２０は、ビデオレコーダ３Ａ、ＤＶＤレコーダ３Ｂ、ＤＶＤレコーダ３Ｃよりそれぞれ録画予約情報及び録画装置情報を受信すると、テーブル等の形態で記憶部１３に記憶させる。テレビジョン放送受信装置２０は、録画予約情報及び録画装置情報に基づいて、ユーザの入力操作によって録画予約の要求がなされたテレビジョン番組をビデオレコーダ３Ａ、ＤＶＤレコーダ３Ｂ、ＤＶＤレコーダ３Ｃの何れか１つに録画予約するための録画予約テーブルを作成する。ここで、録画予約情報は、例えば、録画時刻、チャンネル、画質設定等の情報からなる。また、録画装置情報は、例えば、各録画装置が備える記録媒体の空き容量の情報、録画機能情報等からなる。この録画機能情報は、例えば、同時録画可能な番組数、受信可能な放送波（地上波、ＢＳ、ＣＳ等）及びチャンネル、入力端子等の情報からなる。
【００２１】
具体的に、テレビジョン放送受信装置２０におけるＣＰＵ１０１は、通信部１２よりＩ／Ｆ４Ａ，４Ｂ，４Ｃをそれぞれ介してビデオレコーダ３Ａ、ＤＶＤレコーダ３Ｂ、ＤＶＤレコーダ３Ｃに録画予約情報及び録画装置情報を要求し、ビデオレコーダ３Ａ、ＤＶＤレコーダ３Ｂ、ＤＶＤレコーダ３Ｃより録画予約情報及び録画装置情報を受信し、これらの情報を記憶部１３にテーブルを作成して記憶させる。ＣＰＵ１０１は、記憶部１３に記憶されている録画予約情報及び空き容量の情報に基づいて、例えば図４に示すような録画予約テーブルＸ１を作成して各録画装置に対する録画設定情報を管理する。ここで、録画設定情報とは、ユーザが録画予約を要求するテレビジョン番組をビデオレコーダ３Ａ、ＤＶＤレコーダ３Ｂ、ＤＶＤレコーダ３Ｃの何れか１つに録画予約するために設定された情報であり、例えば録画日、録画時間帯、録画予約させるテレビジョン番組の放送チャンネル、録画予約させるテレビジョン番組のタイトル等からなる。
【００２２】
録画予約テーブルＸ１は、管理領域３１にビデオレコーダ３Ａの録画予約情報及び録画装置情報を、管理領域３２にＤＶＤレコーダ３Ｂの録画予約情報及び録画装置情報を、管理領域３３にＤＶＤレコーダ３Ｃの録画予約情報及び録画装置情報をそれぞれ格納する。また、録画予約テーブルＸ１は、管理領域３１，３２，３３にそれぞれ機器名称３４、機器の種類３５、同時録画数３６、受信可能チャンネル３７、録画可能時間３８、及び録画予約内容３９を管理する。
【００２３】
録画予約テーブルＸ１を参照すると、例えば同時録画が可能なテレビジョン番組の番組数は、ビデオレコーダ３Ａ及びＤＶＤレコーダ３Ｂでは２であり、ＤＶＤレコーダ３Ｃでは１である。また、例えば地上波アナログ放送及びＢＳアナログ放送は、２つの放送波を同時に録画することが不可能であるが、地上波ディジタル放送及びＢＳディジタル放送は、２つの放送波を同時に受信することが可能である。また、例えばビデオレコーダ３Ａ、ＤＶＤレコーダ３Ｂ、ＤＶＤレコーダ３Ｃの録画可能時間は、それぞれ７８時間、５６時間、１９時間である。また、録画予約内容３９を参照すると、例えばビデオレコーダ３Ａでは、３月１２日の１９時から２１時に、地上アナログ放送８チャンネルの「７時のニュース」とＢＳディジタル放送６チャンネルの「映画Ａ」とが同時間に録画予約されている。
【００２４】
録画システム１において、入力部１４におけるユーザの入力操作によりテレビジョン放送受信装置２０に対して録画予約情報の表示の要求がなされると、ＣＰＵ１０１は、録画予約テーブルＸ１が管理する録画予約情報を出力部１５が有するディスプレイに表示させる。これにより、ユーザは、テレビジョン放送受信装置２０に接続されている各録画装置の録画予約情報を総合的に把握することが可能となる。
【００２５】
また、録画システム１は、ユーザの操作内容に基づいて録画予約情報を変更することが可能である。図５は、ユーザの入力操作を録画予約情報に反映させる処理の具体例を示す図である。例えば、テレビジョン放送受信装置２０が備える入力部１４におけるユーザの入力操作により、ユーザが録画を希望するテレビジョン番組の録画予約の設定がなされた録画装置に対して録画設定情報の追加、削除、変更等の設定がなされた場合、テレビジョン放送受信装置２０における制御部１０は、このテレビジョン番組の録画予約を行う録画装置を把握し、設定内容をこの録画装置に送信して録画装置が備えるメモリに記憶されている録画予約情報にこの設定内容を反映させる。すなわち、図５に示す例では、テレビジョン放送受信装置２０におけるユーザの入力操作に基づいて録画予約テーブルＸ１が管理するビデオレコーダ３Ａの録画予約内容の内、管理領域４１ａにて管理されている３月１３日、１９時から１９時３０分に録画されるＢＳアナログ放送、７チャンネルのテレビジョン番組「ニュース」が削除された場合、ビデオレコーダ３Ａがメモリに管理して記憶している録画予約リストＡ１の管理領域４１ｂにて管理されている「ニュース」の録画予約情報をも削除される。この際、テレビジョン放送受信装置２０は、録画予約設定がなされた録画装置に対して録画予約設定がＯＫ又はＮＧであるかの応答確認を行う。これにより、テレビジョン放送受信装置２０が有する録画予約テーブルＸ１と、このテレビジョン番組の録画予約の設定がなされた録画装置が有する録画予約テーブルとの内容が一致したものとなる。また、例えば、録画予約の設定がなされた録画装置におけるユーザの入力操作により、録画設定情報の追加、削除、変更等の設定がなされた場合、この録画装置は、設定内容をこの録画装置がメモリに記憶する録画予約情報に反映させるとともに、この設定内容をテレビジョン放送受信装置２０に送信して録画予約テーブルＸ１に管理されている録画予約情報にこの設定内容を反映させる。
【００２６】
また、録画システム１では、テレビジョン放送受信装置２０によってテレビジョン番組の録画予約設定がなされた録画装置において、テレビジョン番組の放送予定を管理する番組表を作成して番組表テーブルとして記憶することが可能である。この場合、テレビジョン放送受信装置２０が備える制御部１０は、例えば図６に示すように、テレビジョン番組の録画予約の設定がなされた録画装置であるビデオレコーダ３Ａが有する番組表テーブル５Ａ、ＤＶＤレコーダ３Ｂが有する番組表テーブル５Ｂ、ＤＶＤレコーダ３Ｃが有する番組表テーブル５ＣよりそれぞれＩ／Ｆ４Ａ，４Ｂ，４Ｃを介して録画予約情報を受信し、この録画予約情報と、アンテナ２１又はネットワークを介して取得したＥＰＧ信号とを用いて、地上アナログ放送、ＢＳアナログ放送、地上波ディジタル放送、ＢＳディジタル放送がそれぞれ有するチャンネル毎のテレビジョン番組を管理する統合番組表Ｙ１を作成し、統合番組表テーブルとして記憶部１３に記憶させる。そして、テレビジョン放送受信装置２０は、統合番組表Ｙ１を出力部１５が備えるディスプレイに表示させる。これにより、ユーザは、テレビジョン放送受信装置２０が表示する統合番組表Ｙ１を参照して録画を希望するテレビジョン番組を選択することにより、簡単にテレビジョン番組の録画予約を行うことが可能である。
【００２７】
また、録画システム１では、ユーザによって入力された嗜好情報に応じたテレビジョン番組を録画予約することが可能である。具体的に、テレビジョン放送受信装置２０が備える制御部１１は、入力部１４におけるユーザの入力操作に基づいて、例えばユーザが視聴を希望するテレビジョン番組のジャンル、キーワード、時間帯等といったユーザの嗜好情報を入力し、記憶部１３に、例えば図７に示すような嗜好情報テーブルＳ１を作成して記憶する。また、制御部１１は、統合番組表Ｙ１を参照してユーザが視聴を希望すると思われるテレビジョン番組を推定し、このテレビジョン番組をお勧め番組とし、例えば図７に示すようなお勧め番組録画予約リストＺ１を作成して記憶部１３に記憶させる。また、制御部１１は、お勧め番組録画予約リストＺ１を出力部１５が備えるディスプレイに表示させることが可能である。制御部１１は、このお勧め番組録画予約リストＺ１を参照するとともに、ビデオレコーダ３Ａ、ＤＶＤレコーダ３Ｂ、ＤＶＤレコーダ３Ｃがそれぞれ有する記録媒体やチューナ等の空き容量の情報を、それぞれＩ／Ｆ４Ａ，４Ｂ，４Ｃを介して受信する。そして、制御部１１は、受信した空き容量の情報に基づいてこのお勧め番組の録画が可能な録画装置を判断し、録画が可能な録画装置に対してお勧め番組からなる録画設定情報を送信して録画予約を行う。なお、制御部１１は、複数の録画装置が備える記録媒体の空き容量が大きい順にお勧め番組を録画させていく。
【００２８】
ここで、テレビジョン放送受信装置２０は、ユーザの嗜好情報を、例えば録画予約するテレビジョン番組の属性に関する番組属性情報を構成する複数の番組属性名を出力部１５が備えるディスプレイに提示し、提示された番組属性名を参照したユーザによって選択された番組属性情報を入力部１４にて入力することにより取得する。番組属性名としては、例えば、洋画、昼のメロドラマ、再放送ドラマ、野球、サッカー、深夜バラエティ、演歌、クラシック、ニュース、料理、温泉、又は囲碁、将棋等が挙げられるが、この番組属性名は、これらに限定されるものではない。
【００２９】
なお、テレビジョン放送受信装置２０によるユーザの嗜好情報の取得方法は、上述の方法に限られず、例えば、テレビジョン放送受信装置２０が、自身に接続されている録画装置が既にメモリに記憶している録画予約情報をＩ／Ｆ４Ａ，４Ｂ，４Ｃをそれぞれ介して受信し、これらの録画予約情報を総合的に判断してユーザの嗜好情報を推定し、この推定したユーザの嗜好情報をメモリが備えるテーブルに登録することにより記憶させるようにしてもよい。
【００３０】
この図７を用いて具体例を説明すると、例えばユーザが番組属性名として「ラーメン」及び「料理」を、また、録画時間帯として「夕方」をテレビジョン放送受信装置２０に入力すると、これらの嗜好情報は、メモリが備える嗜好情報テーブルＳ１に登録されて記憶される。テレビジョン放送受信装置２０が備える制御部１１は、嗜好情報テーブルＳ１に管理されている嗜好情報と、ビデオレコーダ３Ａ，ＤＶＤレコーダ３Ｂ，ＤＶＤレコーダ３Ｃがそれぞれ備える記録媒体の空き容量とに基づいてお勧め番組録画予約リストＺ１を作成する。
【００３１】
図７に示すお勧め番組録画予約リストＺ１において、複数の録画装置に同一のテレビジョン番組が録画予約設定情報として管理されている場合、制御部１１は、各録画装置が備える記録媒体の空き容量や受信可能な放送（地上アナログ放送、地上ディジタル放送、ＢＳ放送、ＣＳ放送等）等の情報に基づいて、重複するテレビジョン番組の録画予約設定情報の内、最も残容量が大きいメモリに記憶されている録画予約設定情報のみを残し、他の録画予約設定情報を削除する処理を行う。
【００３２】
例えば、お勧め番組録画予約リストＺ１を構成するビデオレコーダ３Ａについての管理領域５１とＤＶＤレコーダ３Ｂについての管理領域５２とには、同一のテレビジョン番組「ラーメン対決」の録画予約情報が重複して管理されている。この図７に示す例では、管理領域５２における録画予約情報が削除される。同様に、管理領域５３，５４,５５において重複して管理されている同一のテレビジョン番組「グルメの旅」については、管理領域５３，５４における録画予約情報が削除され、管理領域５６，５７において重複して管理されている同一のテレビジョン番組「中国４０００年の味」については、管理領域５６における録画予約情報が削除される。
【００３３】
そして、お勧め番組録画予約リストＺ１を構成するビデオレコーダ３Ａ，ＤＶＤレコーダ３Ｂ，ＤＶＤレコーダ３Ｃそれぞれについての録画予約設定情報をお勧め録画予約情報リスト６Ａ，６Ｂ，６ＣとしてそれぞれＩ／Ｆ４Ａ，４Ｂ，４Ｃを介して，ＤＶＤレコーダ３Ｂ，ＤＶＤレコーダ３Ｃに送信する。
【００３４】
ここで、録画システム１におけるお勧め番組の録画予約処理動作について図８のフローチャートを参照して説明する。ステップＳ１において、録画システム１におけるお勧め番組の録画予約処理が開始されると、ステップＳ２において、制御部１１は、統合番組表Ｙ１よりテレビジョン番組のタイトル名、その他のテレビジョン番組に関する情報を参照するとともに嗜好情報が管理されているテーブルを参照し、これらの情報に基づいてユーザが視聴を希望すると思われるテレビジョン番組を推定してお勧め番組としてリストアップする。ステップＳ３において、制御部１１は、リストアップしたお勧め番組の中から既に録画装置に録画予約設定がなされているテレビジョン番組があるか否かを判断する。このステップＳ３において、制御部１１は、リストアップしたお勧め番組の中から既に録画装置に録画予約設定がなされているテレビジョン番組があると判断した場合はステップＳ４に進み、リストアップしたお勧め番組の中から既に録画装置に録画予約設定がなされているテレビジョン番組を除外する。一方、このステップＳ３において、制御部１１は、リストアップしたお勧め番組の中から既に録画装置に録画予約設定がなされているテレビジョン番組がないと判断した場合はステップＳ５に進む。ステップＳ５において、制御部１１は、ステップＳ４で除外されなかったお勧め番組を録画可能なお勧め番組としてお勧め番組予約リストを作成して記憶部１３に記憶させる。その後、ステップＳ６に進み、録画システム１におけるお勧め番組の録画予約処理が終了される。
【００３５】
なお、録画システム１では、このお勧め番組予約リストの設定変更がなされる場合がある。この場合のテレビジョン放送受信装置２０の処理動作について図９のフローチャートを参照して説明する。ステップＳ１１において、お勧め番組予約リストの設定変更の処理が開始されると、ステップＳ１２において、テレビジョン放送受信装置２０は、テレビジョン放送受信装置２０、ビデオレコーダ３Ａ、ＤＶＤレコーダ３Ｂ、ＤＶＤレコーダ３Ｃの何れか１つより、ユーザの入力操作に基づく録画設定情報の追加又は変更の情報が入力される。ステップＳ１３において、制御部１１は、記憶部１３に記憶されている録画予約テーブルＸ１を更新する。ステップＳ１４において、テレビジョン放送受信装置２０は、この録画予約テーブルＸ１とお勧め番組予約リストとを照合して重複して記憶されているテレビジョン番組があるかないかを判断する。このステップＳ１４において、重複して記録されているテレビジョン番組がある場合はステップＳ１２に戻り、改めてお勧め番組予約リストの設定処理を行う。一方、このステップＳ１４において、重複して記憶されているテレビジョン番組がない場合はステップＳ１５に進み、一連の処理動作は、終了される。
【００３６】
また、録画システム１では、テレビジョン放送受信装置２０が、接続されている録画装置に記憶されているテレビジョン番組のタイトルを取得してタイトルリストを作成し、ユーザがこのタイトルリストを参照して選択したテレビジョン番組を再生させることが可能である。具体的には、例えば図１０に示すように、ビデオレコーダ３Ａ、ＤＶＤレコーダ３Ｂ、ＤＶＤレコーダ３Ｃは、記録媒体に録画又は再生させたテレビジョン番組のタイトルの情報を、それぞれメモリにタイトルリスト７Ａ，７Ｂ，７Ｃのテーブルを作成して記憶している。テレビジョン放送受信装置２０が備える制御部１１は、Ｉ／Ｆ４Ａ，４Ｂ，４Ｃを介してビデオレコーダ３Ａ、ＤＶＤレコーダ３Ｂ、ＤＶＤレコーダ３Ｃに記憶されているテレビジョン番組のタイトルの情報を受信し、タイトルリストＷ１のテーブルを作成して記憶部１３に記憶させる。また、制御部１１は、このタイトルリストＷ１を出力部１５が備えるディスプレイに表示させる。ユーザが入力部１４における入力操作に基づいて表示されたタイトルリストから視聴を希望するテレビジョン番組のタイトル、例えばタイトルリストＷ１の管理領域６１ａに管理されている「プロ野球」を選択すると、制御部１１は、選択されたタイトル「プロ野球」が記憶されている録画装置であるＤＶＤレコーダ４Ｂを選定し、このＤＶＤレコーダ４Ｂのメモリが備えるタイトルリストより管理領域６１ｂに管理されているテレビジョン番組「プロ野球」の情報を抽出してＩ／Ｆ４Ｂを介して受信し、テレビジョン番組「プロ野球」を再生させる。
【００３７】
以上、説明した本実施の形態における録画システム１によれば、ユーザは、録画予約時刻の重複や録画装置における記録媒体の空き容量等を考慮せずに、効率的に複数の録画装置に対して複数のテレビジョン番組の録画予約を行うことが可能となる。
【００３８】
また、録画システム１によれば、テレビジョン放送受信装置２０に接続されている複数の録画装置を１台の録画装置のように扱うことが可能となり、複数の録画装置に対するユーザの使い勝手が向上する。
【００３９】
また、録画装置１によれば、複数の録画装置に録画予約させるテレビジョン番組の番組表を統合的に管理することにより、テレビジョン放送受信装置２０は、録画装置が備える記録媒体の空き容量を判断して各録画装置に対してテレビジョン番組の録画予約の設定を分散させることにより、複数の録画装置が備える記録媒体の空き容量の偏りを無くすことが可能となる。
【００４０】
なお、本発明は上述した実施の形態のみに限定されるものではなく、本発明の要旨を逸脱しない範囲において種々の変更が可能であることは勿論である。
【００４１】
上述した実施の形態では、ＣＥＣに対応したＨＤＭＩを用いて複数の録画装置に対して信号の送受信を行うようにしたが、例えば、イーサネット（登録商標）型ＬＡＮやＩＥＥＥ１３９４等のディジタルインターフェースを用いるようにしてもよい。また、リモートコントローラを用いて信号の送受信を制御するようにしてもよい。例えば、リモートコントローラによる制御が可能な録画装置を用いた場合、ユーザがテレビジョン番組の録画予約を行う際、テレビジョン放送受信装置２０からこの録画装置へ送信する信号を、赤外線等を用いたリモートコントロール送信ユニットに送信し、録画装置が備えるリモートコントロール受信部に赤外線により送信するようにしてもよい。
【００４２】
また、上述した実施の形態では、テレビジョン放送受信装置１１が録画予約制御機能を有するようにしたが、この録画予約制御機能は、複数の録画装置の何れか１つに搭載されるようにしてもよい。
【００４３】
また、上述した実施の形態では、アンテナ分配器２４が、アンテナ２２にて受信された放送波をテレビジョン放送受信装置２０、ビデオレコーダ３Ａ、ＤＶＤレコーダ３Ｂ、ＤＶＤレコーダ３Ｃに供給するようにしたが、アンテナ２１，２２にて受信された放送信号の各装置への供給の形態は、これに限られるものではなく、例えば、アンテナ分配器２３，２４から出力されるテレビジョン放送受信装置２０が備えるチューナが受信し、この放送信号をＩ／Ｆ４Ａ，４Ｂ，４Ｃを介してビデオレコーダ３Ａ、ＤＶＤレコーダ３Ｂ、及びテレビジョン放送受信装置２０に送信するようにしてもよい。
【図面の簡単な説明】
【００４４】
【図１】本発明の実施の形態に用いられる録画システムを概略的に示すブロック図である。
【図２】録画予約制御装置の制御部の内部構成例及びその周辺部を概略的に示すブロック図である。
【図３】本実施の形態における録画システムの具体例を示す図である。
【図４】録画予約テーブルを示す図である。
【図５】ユーザの入力操作を録画予約情報に反映させる処理の具体例を示す図である。
【図６】録画システムにおける統合番組表の作成処理の具体例を示す図である。
【図７】録画システムにおけるお勧め番組の録画予約処理の具体例を示す図である。
【図８】録画システムにおけるお勧め番組の録画予約処理動作を説明するためのフローチャートである。
【図９】お勧め番組予約リストの設定変更の処理動作を説明するためのフローチャートである。
【図１０】テレビジョン放送受信装置が録画装置に記録されているテレビジョン番組のタイトルを取得してタイトルリストを作成する様子を示す図である。
【符号の説明】
【００４５】
１  録画システム、４  通信路、１０  録画制御装置、１１  制御部、１２  通信部、１３  記憶部、１４  入力部、１５  出力部、２０  テレビジョン放送受信装置
【図１】
2009017048.tif 000003
【図２】
2009017048.tif 000004
【図３】
2009017048.tif 000005
【図４】
2009017048.tif 000006
【図５】
2009017048.tif 000007
【図６】
2009017048.tif 000008
【図７】
2009017048.tif 000009
【図８】
2009017048.tif 000010
【図９】
2009017048.tif 000011
【図１０】
2009017048.tif 000012